(57)【要約】【課題】  すでに記録されたデータストリーム中の音声データのデータフォーマットの種類にかかわらず、画質の劣化なしに高速にアフレコ処理を可能にする。【解決手段】  ＨＤＤ装置１９などの記録媒体に記録されたＤＶストリームの音声データを、データ量が圧縮された所定のフォーマットの音声データに変換する第１のオーディオＳＲＣ３３と、上記ＤＶストリームとは別に用意された音声データを、同様のフォーマットの音声データに変換する第２のオーディオＳＲＣ３６と、オーディオＳＲＣ３３および３６でそれぞれ変換された音声データを、元のデータストリームの音声データ記録領域に格納して、元の画像データと一体のデータストリームとして編集するＤＶストリームプロセッサ３１を備えている。【選択図】  図１
2006042041.tif 000002
【特許請求の範囲】
【請求項１】
記録媒体に画像データと音声データとを含むデータストリームを記録する情報記録装置において、
前記記録媒体に記録された処理対象のデータストリームの音声データを、データ量が圧縮された所定のフォーマットの音声データに変換する第１のデータ変換手段と、
前記処理対象のデータストリームとは別に用意された音声データを、前記所定のフォーマットの音声データに変換する第２のデータ変換手段と、
前記第１のデータ変換手段により変換された音声データと前記第２のデータ変換手段により変換された音声データとを、前記処理対象のデータストリームの音声データ記録領域に格納して、元の画像データと一体のデータストリームとして前記記録媒体に記録するストリーム記録処理手段と、
を有することを特徴とする情報記録装置。
【請求項２】
前記第１および第２のデータ変換手段は、サンプリング周波数と量子化ビット数の少なくとも１つを圧縮変換することを特徴とする請求項１記載の情報記録装置。
【請求項３】
前記第２のデータ変換手段は、変換前の音声データを外部から取り込むことを特徴とする請求項１記載の情報記録装置。
【請求項４】
アナログ音声信号の入力端子と、前記アナログ音声信号をデジタル信号に変換するＡＤ変換回路とを備え、前記第２のデータ変換手段は前記入力端子に入力されたアナログ音声信号を前記ＡＤ変換回路を通じて取り込むことを特徴とする請求項３記載の情報記録装置。
【請求項５】
前記第２のデータ変換手段は、変換前の音声データとして前記記録媒体に記録されている音声データを選択することを特徴とする請求項１記載の情報記録装置。
【請求項６】
前記記録媒体はランダムアクセスが可能であり、前記第１および第２のデータ変換手段と前記ストリーム記録処理手段とによるデータストリームの生成処理は、前記第１および第２のデータ変換手段に入力される音声データの再生に必要な実時間より短い時間で実行されることを特徴とする請求項５記載の情報記録装置。
【請求項７】
前記処理対象のデータストリームとして外部から取り込むことが可能であることを特徴とする請求項１記載の情報記録装置。
【請求項８】
前記ストリーム記録処理手段は、前記処理対象のデータストリームが記録されていた前記記録媒体とは別の記録媒体に、前記第１および第２のデータ変換手段により変換された音声データを含むデータストリームを記録することを特徴とする請求項１記載の情報記録装置。
【請求項９】
映像データと音声データとを含むデータストリームを編集して記録媒体に記録するためのストリーム編集方法において、
第１のデータ変換手段が、前記記録媒体に記録された処理対象のデータストリームの音声データを、データ量が圧縮された所定のフォーマットの音声データに変換する第１のステップと、
第２のデータ変換手段が、前記処理対象のデータストリームとは別に用意された音声データを、前記所定のフォーマットの音声データに変換する第２のステップと、
ストリーム記録処理手段が、前記第１のステップで変換された音声データと前記第２のステップで変換された音声データとを、前記処理対象のデータストリームの音声データ記録領域に格納して、元の画像データと一体のデータストリームとして前記記録媒体に記録する第３のステップと、
を含むことを特徴とするストリーム編集方法。
【請求項１０】
画像データと音声データとを含むデータストリームを編集して記録媒体に記録する処理をコンピュータに実行させるストリーム編集プログラムにおいて、
前記記録媒体に記録された処理対象のデータストリームの音声データを、データ量が圧縮された所定のフォーマットの音声データに変換する第１のデータ変換手段、
前記処理対象のデータストリームとは別に用意された音声データを、前記所定のフォーマットの音声データに変換する第２のデータ変換手段、
前記第１のデータ変換手段により変換された音声データと前記第２のデータ変換手段により変換された音声データとを、前記処理対象のデータストリームの音声データ記録領域に格納して、元の画像データと一体のデータストリームとして前記記録媒体に記録させるストリーム記録制御手段、
として前記コンピュータを機能させることを特徴とするストリーム編集プログラム。
【発明の詳細な説明】
【技術分野】
【０００１】
本発明は、記録媒体に映像データと音声データとを含むデータストリームを記録する情報記録装置、そのためのストリーム編集方法およびプログラムに関し、特に、ＤＶストリームの音声データのアフレコ処理を可能とした情報記録装置、ストリーム編集方法およびプログラムに関する。
【背景技術】
【０００２】
従来から、映像データの圧縮フォーマットとして普及しているものに、ＭＰＥＧ（Moving Picture Experts Group）２規格とＤＶ（Digital Video）規格がある。前者はＤＶＤ（Digital Versatile Disk）やデジタル放送の映像信号の圧縮に用いられており、後者は民生用のデジタルビデオカメラの圧縮フォーマットとして普及している。
【０００３】
また最近では、記録型のＤＶＤやＨＤＤ（Hard Disk Drive）などにＭＰＥＧ２規格の映像データを記録することが可能なビデオレコーダが急速に普及している。このようなビデオレコーダでは、例えば放送電波を通じて受信した番組などを記録し、再生することができるだけでなく、録画した映像の一部を削除したり移動するといった編集機能を備えているものも多い。
【０００４】
一方、デジタルビデオカメラで記録されたＤＶ規格の映像データについても、最近では、カメラの記録媒体として光ディスクなどを用いたり、撮影した映像データをパーソナルコンピュータなどに伝送することで、映像の編集が可能となっている。また、ＨＤ（Hi-Definition）映像の記録が可能な新しい光ディスクであるブルーレイ（Blu-ray）ディスクでは、ＭＰＥＧ２方式の映像記録の他に、オプションとしてＤＶ規格の映像ストリーム（ＤＶストリーム）の記録もサポートされている。このため、ブルーレイディスクを用いたビデオレコーダでは、ＤＶストリームの編集機能を備えたものも登場すると考えられる。
【０００５】
さらに、ＤＶ規格では、映像編集とは別に、手軽な編集機能として、撮影後の映像素材にバックグラウンドミュージックを入れたり、映像の音声解説を加えたりするなどの音声のアフタレコーディング、いわゆるアフレコが可能とされている。現在、民生用ＤＶ規格の音声データ記録モードとしては、次の表１に示すような４通りの音声データの圧縮フォーマットが用いられている。
【０００６】
【表１】
2006042041.tif 000003
【０００７】
この表１に示すように、第１のモードは「４８ｋモード」であって、サンプリング周波数（Ｆｓ）が４８ｋＨｚ、量子化ビット数が１６ビットで直線量子化されたものである。第２は「４４．１ｋモード」であって、Ｆｓが４４．１ｋＨｚ、量子化ビット数が同じく１６ビットで直線量子化されたものである。第３は「３２ｋモード」であって、Ｆｓが３２ｋＨｚで、同じく量子化ビット数が１６ビットで直線量子化されたものである。これらは、いずれも２チャネルの音声データが同時に記録再生可能なものである。
【０００８】
これに対して、第４は「３２ｋ−４ｃｈモード」であって、Ｆｓは同じ３２ｋＨｚであるが、量子化ビット数が１２ビットで非直線量子化され、同時に４チャネルの音声データを記録再生できる。すなわち、デジタルビデオカメラによる撮影時に、Ｆｓ３２ｋ，量子化ビット数１２ビットで２チャネル分の音声データが記録された後、さらに音声信号を入力して同じフォーマットの音声データを生成し、残りの２チャネルに記録することで、デジタルビデオカメラ上などで手軽にアフレコを行うことが可能となっている。
【０００９】
なお、従来の関連技術として、ＭＰＥＧのシステム規格に準拠してビデオとオーディオの多重を行う映像音声データ記録再生装置において、管理情報領域に膨大な情報量を保持することなく、音声データのアフタレコーディングができるようにしたものがあった（例えば、特許文献１参照）。
【特許文献１】特許公開２０００−２３１０２号公報（段落番号〔００３４〕〜〔００８３〕、図１）
【発明の開示】
【発明が解決しようとする課題】
【００１０】
ところで、現在市販されているＤＶカメラやＤＶデッキなどでも、上記の「３２ｋ−４ｃｈモード」での音声データのアフレコを行うことが可能である。しかし、このような装置において、記録媒体に記録された映像データに音声データのアフレコを行うためには、あらかじめアフレコ用のデータ領域が確保されたデータフォーマットである「３２ｋ−４ｃｈモード」でＤＶストリームが記録されていなければならなかった。
【００１１】
すなわち、従来のＤＶ規格などでは、同じ映像データフォーマットであっても、音声データフォーマットによってはアフレコ処理が不可能な場合があった。そのため、映像音声データの記録再生機器のユーザは、同じ映像データフォーマットで記録されたＤＶストリームであっても、そこに記録済みの音声データのデータフォーマットがアフレコ処理に対応しているものであるかどうかを、前もって確認する作業が必要となる。
【００１２】
本発明はこのような点に鑑みてなされたものであり、音声データのデータフォーマットの種類にかかわらず、画質の劣化なしにアフレコ処理を可能にする情報記録装置を提供することを目的とする。
【００１３】
また、本発明の別の目的は、音声データのデータフォーマットの種類にかかわらず、画質の劣化なしにアフレコ処理を可能にするストリーム編集方法を提供することである。
さらに、本発明の別の目的は、音声データのデータフォーマットの種類にかかわらず、画質の劣化なしにアフレコ処理を可能にするためのストリーム編集プログラムを提供することである。
【課題を解決するための手段】
【００１４】
本発明では、上記問題を解決するために、記録媒体に画像データと音声データとを含むデータストリームを記録する情報記録装置において、前記記録媒体に記録された処理対象のデータストリームの音声データを、データ量が圧縮された所定のフォーマットの音声データに変換する第１のデータ変換手段と、前記処理対象のデータストリームとは別に用意された音声データを、前記所定のフォーマットの音声データに変換する第２のデータ変換手段と、前記第１のデータ変換手段により変換された音声データと前記第２のデータ変換手段により変換された音声データとを、前記処理対象のデータストリームの音声データ記録領域に格納して、元の画像データと一体のデータストリームとして前記記録媒体に記録するストリーム記録処理手段とを有することを特徴とする情報記録装置が提供される。
【００１５】
このような情報記録装置では、処理対象のデータストリーム内の音声データが、第１のデータ変換手段によりアフタレコーディング用のフォーマットに圧縮変換されるので、元のデータストリームの音声データ記録領域には空き領域が発生する。また、これとは別の音声データが、第２のデータ変換手段により同様のフォーマットに圧縮変換される。そして、ストリーム記録処理手段では、第１のデータ変換手段により圧縮変換された音声データが、元のデータストリーム中の音声データ記録領域に記録され、さらに空き領域に第２のデータ変換手段により圧縮変換された音声データが格納される。
【００１６】
また、本発明では、映像データと音声データとを含むデータストリームを編集して記録媒体に記録するためのストリーム編集方法において、第１のデータ変換手段が、前記記録媒体に記録された処理対象のデータストリームの音声データを、データ量が圧縮された所定のフォーマットの音声データに変換する第１のステップと、第２のデータ変換手段が、前記処理対象のデータストリームとは別に用意された音声データを、前記所定のフォーマットの音声データに変換する第２のステップと、ストリーム記録処理手段が、前記第１のステップで変換された音声データと前記第２のステップで変換された音声データとを、前記処理対象のデータストリームの音声データ記録領域に格納して、元の画像データと一体のデータストリームとして前記記録媒体に記録する第３のステップとを含むことを特徴とするストリーム編集方法が提供される。
【００１７】
このようなストリーム編集方法では、第１のステップで、処理対象のデータストリーム内の音声データが、アフタレコーディング用のフォーマットに圧縮変換されるので、元のデータストリームの音声データ記録領域には空き領域が発生する。また、第２のステップでは、これとは別の音声データが同様のフォーマットに圧縮変換される。そして、第３のステップでは、第１のステップで圧縮変換された音声データが、元のデータストリーム中の音声データ記録領域に記録され、さらに空き領域に第２のステップで圧縮変換された音声データが格納される。
【発明の効果】
【００１８】
本発明によれば、従来のように記録媒体の画像データとともに多重化された音声データのデータフォーマットをいちいち確認することなしに、２つのデータ変換手段により画像データとは独立に音声データのデータフォーマットだけを変換することによって、画像データを劣化させずに、音声データのアフタレコーディング処理を行うことができる。
【発明を実施するための最良の形態】
【００１９】
以下、図面を参照してこの発明の実施の形態について説明する。
図１は、実施の形態に係る情報記録装置の要部構成を示すブロック図である。なお、図１に示す各ブロックの動作は、図示しないシステムコントローラにより統括的に制御される。
【００２０】
情報記録装置は、アナログ映像信号が入力されるビデオ入力端子１０、アナログオーディオ信号が入力されるオーディオ入力端子１１を備え、それらにはＴＶチューナなどの映像機器が接続される。ビデオ入力端子１０から入力したビデオ信号は、ＮＴＳＣ（National Television System Committee）デコーダ１２、プリ映像信号処理回路１３、ＭＰＥＧエンコーダ１４、マルチプレクサ１５とデマルチプレクサ１６を含む多重／分離回路１７、バッファコントローラ１８を介してＨＤＤ装置１９内、あるいは光ディスク装置２０内の記録媒体にＭＰＥＧトランスポートストリーム（以下、ＭＰＥＧ−ＴＳという。）として記録される。
【００２１】
また、オーディオ入力端子１１から入力したオーディオ信号は、オーディオＡ／Ｄコンバータ２１を介してＭＰＥＧエンコーダ１４に供給され、上述した多重／分離回路１７、バッファコントローラ１８を介してＨＤＤ装置１９内の記録媒体にＭＰＥＧ−ＴＳとして記録される。
【００２２】
ＮＴＳＣデコーダ１２では、ビデオ入力端子１０からのビデオ信号にＡ／Ｄ変換処理、クロマエンコード処理を施し、ビデオ信号をデジタルコンポーネントビデオ信号に変換する処理を施し、ビデオデータをプリ映像信号処理回路１３に出力する。
【００２３】
プリ映像信号処理回路１３では、ＮＴＳＣデコーダ１２からのビデオデータにプリフィルターなどの各種ビデオデータ処理を施し、ＭＰＥＧエンコーダ１４およびポスト映像信号処理回路２２に出力する。
【００２４】
ＭＰＥＧエンコーダ１４では、プリ映像信号処理回路１３からのビデオデータにブロックＤＣＴ（Discrete Cosine Transform：離散コサイン変換）処理、動き補償処理などのＭＰＥＧ符号化処理を施し、ビデオデータからなるエレメンタリストリーム（Elementary Stream：以下、ビデオＥＳという。）を生成し、多重／分離回路１７に出力する。
【００２５】
一方、オーディオ入力端子１１からオーディオ信号が入力されるオーディオＡ／Ｄコンバータ２１では入力されたオーディオ信号にＡ／Ｄ変換処理を施し、オーディオデータをＭＰＥＧエンコーダ１４に出力する。
【００２６】
ＭＰＥＧエンコーダ１４では、ＭＰＥＧ方式に従ってオーディオデータを圧縮することにより、オーディオデータからなるエレメンタリストリーム（以下、オーディオＥＳという。）を生成し、多重／分離回路１７に出力する。
【００２７】
多重／分離回路１７では、データ記録時にＭＰＥＧエンコーダ１４からのビデオＥＳ、オーディオＥＳに対して各種制御信号を用いた多重化処理を施すことにより、ＭＰＥＧ−ＴＳを生成してバッファコントローラ１８に出力する。
【００２８】
バッファコントローラ１８は、多重／分離回路１７から連続的に入力されるＭＰＥＧ−ＴＳを、後段のＨＤＤ装置１９に断続的に送出するための制御を行う。このバッファコントローラ１８は、例えばＨＤＤ装置１９がシーク動作を行っているときにはＭＰＥＧ−ＴＳの書込ができないので、内蔵しているバッファにＭＰＥＧ−ＴＳを一時的に格納する。そして、再び書込可能時となったら、多重／分離回路１７からの入力レートよりも高いレートで書込を行うことにより、連続的に入力されるＭＰＥＧ−ＴＳをとぎれることなく記録するようにＨＤＤ装置１９や光ディスク装置２０を制御する。
【００２９】
ＨＤＤ装置１９は、内部に磁気ディスクなどの記録媒体を備え、図示しないシステムコントローラからの制御信号に従って、所定のアドレスにＭＰＥＧ−ＴＳや後述するＤＶストリームの記録を行う。また、光ディスク装置２０を記録媒体とする場合についても同様であり、光磁気ディスク、固体メモリなどの記録媒体を用いて記録を行うこともできる。
【００３０】
また、この情報記録装置では、ＨＤＤ装置１９あるいは光ディスク装置２０から読み出したＭＰＥＧ−ＴＳを、バッファコントローラ１８、多重／分離回路１７を介して、ＭＰＥＧデコーダ２３でデコードすることで、それぞれビデオデータおよびオーディオデータを作成し、ビデオデータをポスト映像信号処理回路２２、ＮＴＳＣエンコーダ２４、ビデオ信号出力端子２５を介して外部に出力して再生するように構成されている。また、ＭＰＥＧデコーダ２３で作成したオーディオデータは、第１のセレクタ２６、オーディオＤ／Ａコンバータ２７、オーディオ信号出力端子２８を介して外部に出力して再生するように構成されている。
【００３１】
ＨＤＤ装置１９では、図示しないシステムコントローラからのデータを再生する旨の制御信号に従って、所定のアドレスにシークし、ＭＰＥＧ−ＴＳが読み出され、バッファコントローラ１８に出力される。
【００３２】
バッファコントローラ１８では、断続的に入力されるＭＰＥＧ−ＴＳが連続的に出力されるようにバッファ制御を行い、ＭＰＥＧ−ＴＳを多重／分離回路１７に出力する。
多重／分離回路１７では、ＭＰＥＧ−ＴＳからビデオＥＳ、オーディオＥＳが抽出され、これらはＭＰＥＧデコーダ２３に出力される。
【００３３】
ＭＰＥＧデコーダ２３は、入力されたビデオＥＳおよびオーディオＥＳにデコード処理を施し、ビデオデータをポスト映像信号処理回路２２に出力するとともに、オーディオデータを第１のセレクタ２６に出力する。
【００３４】
ポスト映像信号処理回路２２には、ＭＰＥＧデコーダ２３、プリ映像信号処理回路１３、および後述するＤＶデコーダ３２からビデオデータが入力される。このポスト映像信号処理回路２２では、システムコントローラからの制御信号に従って、プリ映像信号処理回路１３からのビデオデータ、ＭＰＥＧデコーダ２３からのビデオデータ、あるいはＤＶデコーダ３２からのビデオデータの出力切換が行われるとともに、合成処理やフィルター処理が施されて、処理後のビデオデータがＮＴＳＣエンコーダ２４に出力される。
【００３５】
ＮＴＳＣエンコーダ２４では、ポスト映像信号処理回路２２からのビデオデータが輝度信号、色差信号に変換されるとともにＤ／Ａ変換処理が行われ、アナログ方式のコンポジットビデオ信号がビデオ信号出力端子２８から出力される。
【００３６】
一方、ＭＰＥＧデコーダ２３からオーディオデータが入力される第１のセレクタ２６には、オーディオＡ／Ｄコンバータ２１、および後述するＤＶデコーダ３２からのオーディオ信号も入力される。この第１のセレクタ２６では、システムコントローラからの制御信号に従って、いずれかのオーディオデータがオーディオＤ／Ａコンバータ２７に出力される。
【００３７】
オーディオＤ／Ａコンバータ２７は、第１のセレクタ２６からのオーディオデータについてＤ／Ａ変換処理を行って、アナログオーディオ信号をオーディオ信号出力端子２８から出力する。
【００３８】
さらに、この情報記録装置は、ＤＶストリームがデジタル入力端子２９から入力され、第２のセレクタ３０、ＤＶストリームプロセッサ３１、およびバッファコントローラ１８を介してＨＤＤ装置１９または光ディスク装置２０内の記録媒体に記録するように構成されている。
【００３９】
デジタル入力端子２９は、例えば外部のデジタルビデオカメラなどの機器と接続され、この外部機器からＩＥＥＥ（The Institute of Electrical and Electronics Engineers）１３９４などのデジタルインタフェースを介してビデオデータ、オーディオデータを含むＤＶストリームが入力される。
【００４０】
第２のセレクタ３０は、外部機器からのＤＶストリームと、バッファコントローラ１８を介してＨＤＤ装置１９や光ディスク装置２０の記録媒体に記録されたＤＶストリームとが入力され、いずれかが選択される。
【００４１】
ＤＶストリームプロセッサ３１は、第２のセレクタ３０で外部機器からのＤＶストリームが選択されたとき、このＤＶストリームのパケットに対して記録媒体への記録に適するように変換する。処理後のＤＶストリームは、多重／分離回路１７から入力されたＭＰＥＧ−ＴＳと同様に、バッファコントローラ１８を介してＨＤＤ装置１９や光ディスク装置２０の記録媒体に記録される。
【００４２】
また、ＨＤＤ装置１９や光ディスク装置２０に記録されたＤＶストリームを再生するときには、ＨＤＤ装置１９または光ディスク装置２０などのストレージデバイスでは、システムコントローラからの制御信号に従って、所定のアドレスからＤＶストリームを読み出して、バッファコントローラ１８、第２のセレクタ３０を介してＤＶデコーダ３２に出力する。
【００４３】
さらに、デジタル入力端子２９を介して入力されたＤＶストリームを再生するときには、このＤＶストリームが第２のセレクタ３０を介してＤＶデコーダ３２に入力される。ＤＶデコーダ３２では、第２のセレクタ３０からのＤＶストリームに対してＤＶデコード処理が行われ、映像信号と音声信号が再生され、それぞれビデオデータ、オーディオデータとしてポスト映像信号処理回路２２、および第１のセレクタ２６に出力される。
【００４４】
映像信号は、ポスト映像信号処理回路２２を介してＮＴＳＣエンコーダ２４に入力され、ＤＶストリームのデジタル映像がアナログ信号に変換されて、ビデオ信号出力端子２５から図示しないモニタに出力される。音声信号は、第１のセレクタ２６を介してオーディオＤ／Ａコンバータ２７に入力され、アナログオーディオ信号がオーディオ信号出力端子２８から出力される。
【００４５】
また、以上の各ブロックに加えて、この情報記録装置には、以下のようなアフレコ用の音声信号を処理するためのブロックが設けられている。
第１のオーディオサンプリングレートコンバータ（ＳＲＣ）３３は、ＤＶデコーダ３２から出力される音声信号を、アフレコ規格に適した３２ｋＨｚのサンプリングレートの音声信号に変換する。
【００４６】
一方、外部からのアフレコ用のデジタル音声信号は、デジタルオーディオ入力端子３４から第３のセレクタ３５を介して第２のオーディオＳＲＣ３６に入力される。第３のセレクタ３５には、アフレコに用いることが可能な音声信号として、デジタルオーディオ入力端子３４から入力されたデジタル音声信号、オーディオ入力端子１１から入力されたアナログ音声信号をオーディオＡ／Ｄコンバータ２１でＡＤ変換したデジタル音声信号、ストレージデバイスから読み出された非圧縮のデジタル音声信号、およびストレージデバイスから読み出されたＭＰＥＧで圧縮された音声信号をＭＰＥＧデコーダ２３で伸張したデジタル音声信号が入力され、それらのいずれかが選択されて、第２のオーディオＳＲＣ３６に入力される。
【００４７】
第２のオーディオＳＲＣ３６では、第１のオーディオＳＲＣ３３と同様に、デジタル音声信号がアフレコ規格に適した３２ＫＨｚのサンプリングレートの音声信号に変換される。
【００４８】
ＤＶストリームプロセッサ３１には、あらかじめ記録されていたデジタル音声信号を３２ＫＨｚのサンプリングレートに変換した音声信号と、アフレコ用に取得した音声信号を同様に変換した音声信号とが、それぞれ２つのオーディオＳＲＣ３３，３６から入力され、それらをＤＶ規格のアフレコモードに適した１２ビットの非線形量子化データに変換する。また、このときＤＶストリームプロセッサ３１には、ストレージデバイスから読み出されたＤＶストリームが第２のセレクタ３０を介して入力されており、このＤＶストリームを参照しながら、その音声データ記録領域にアフレコ規格に従って変換された１２ビットの非線形量子化データを上書きするようにＤＶストリーム中の音声データフォーマットを再構築するアフレコ処理が施される。
【００４９】
その後、アフレコ処理されたＤＶストリームは、再びバッファコントローラ１８に戻され、ＨＤＤ装置１９または光ディスク装置２０など、いずれかのストレージデバイスに記録される。
【００５０】
次に、アフレコ処理によって生成されるＤＶストリームのデータフォーマットについて説明する。図２は１ＤＶフレームのデータ構造を示す図である。
図２では、５２５／６０システムと言われるＮＴＳＣ方式でのＤＶ規格で規定されたデータストリーム構造を示している。ＤＶストリームは、フレーム内予測を用いるビデオ圧縮方式であって、ＮＴＳＣ映像のピクチャフレーム単位に相当する１２００００バイトのデータ（ＤＶフレーム）単位でデータが処理される。また、ＤＶテープ上の１トラック分に相当するＤＩＦシーケンスという単位が規定されるとともに、各ＤＩＦシーケンスのデータは８０バイトのＤＩＦブロック単位でセグメント化される。
【００５１】
図２に示すように、１ＤＶフレームは１０個のＤＩＦシーケンスから構成され、各ＤＩＦシーケンスにはさらに１５０個のＤＩＦブロックが含まれている。各ＤＩＦブロックは８０バイトのデータ列であり、３バイトのＩＤ部と７７バイトのデータ部からなる。
【００５２】
各ＤＩＦシーケンスは、ヘッダ部、サブコード部、ＶＡＵＸ（映像補助）部、オーディオ＆ビデオ部からなり、ヘッダ部は１個のヘッダＤＩＦブロック、サブコード部は２個のサブコードＤＩＦブロック、ＶＡＵＸ部は３個のＶＡＵＸ・ＤＩＦブロック、オーディオ＆ビデオ部は９個のオーディオＤＩＦブロックと１３５個のビデオＤＩＦブロックからなる。
【００５３】
図３は、アフレコ処理時におけるデータの入れ替えの様子を模式的に示す図である。
前述した表１に示す「４８ｋモード」「４４．１ｋモード」「３２ｋモード」のような２チャネル記録の場合には、１ＤＶフレーム内の１０個のＤＩＦシーケンスのうち、半分の５個のＤＩＦシーケンス（例えば＃０〜＃４）にチャネル１のＰＣＭデータが記録され、残りの５個のＤＩＦシーケンス（例えば＃５〜＃９）にチャネル２のＰＣＭデータが記録される。
【００５４】
これに対して、アフレコ規格に適した１２ビットの非線形量子化データからなる「３２ｋ−４ｃｈモード」では、半分の５個のＤＩＦシーケンス（例えば＃０〜＃４）にチャネル１とチャネル２のＰＣＭデータが記録され、残りの５個のＤＩＦシーケンス（例えば＃５〜＃９）にチャネル３とチャネル４のＰＣＭデータが記録される。そして、このチャネル３とチャネル４にアフレコ音声が記録される。
【００５５】
そこで、２チャネル記録モードで記録されたＤＶストリームにアフレコ処理を行う場合には、ストレージデバイスから全ＤＩＦシーケンス（＃０〜＃９）のオーディオＤＩＦブロック（Ａ０〜Ａ８）を読み出して、第１のオーディオＳＲＣ３３およびＤＶストリームプロセッサ３１によりＰＣＭデータのデータ量を圧縮し、先頭から５個のＤＩＦシーケンス（＃０〜＃４）のオーディオＤＩＦブロック（Ａ０〜Ａ８）にチャネル１とチャネル２のＰＣＭデータとして記録し、残りのＤＩＦシーケンス（＃５〜＃９）のＰＣＭデータ領域を空領域とする。
【００５６】
一方、第２のオーディオＳＲＣ３６でも、第３のセレクタ３５で選択されたアフレコ音声データを３２ｋＨｚでサンプリングしなおして、さらにＤＶストリームプロセッサ３１で量子化ビット数が１２ビットの非直線量子化データのフォーマットに変換する。そして、このデータを残りのＤＩＦシーケンス（＃５〜＃９）のオーディオＤＩＦブロック（Ａ０〜Ａ８）に、チャネル３とチャネル４として記録する。
【００５７】
このように、２チャネル記録モードで記録された音声データを圧縮して、元の半分のデータ領域に格納し、残りの領域にアフレコ音声データを格納することで、全体のデータ量を増加させることなく、４チャネル記録モードのＤＶストリームに変換することができる。また、この際に映像データについては圧縮・伸張などの再変換処理が全く必要とならず、映像の画質が劣化することはない。
【００５８】
図４は、この情報記録装置におけるアフレコ処理時の処理の流れを示すフローチャートである。なお、以下の処理は、図示しないシステムコントローラにより統合的に制御される。
【００５９】
ステップＳＴ１では、第２のセレクタ３０において、ＨＤＤ装置１９や光ディスク装置２０の記録媒体に記録されたもの、あるいはデジタル入力端子２９を介して外部のＤＶ機器に記録されたもののいずれかが、ＤＶストリームの入力元として選択される。選択されたＤＶストリームは、ＤＶデコーダ３２に入力される。
【００６０】
ステップＳＴ２では、第３のセレクタ３５においてアフレコ音源が選択され、選択された音源データは第２のオーディオＳＲＣ３６に入力される。
ステップＳＴ３では、ＤＶデコーダ３２において、ＤＶデコード処理が開始される。デコードされた音声データは、第１のオーディオＳＲＣ３３に出力される。また、デコードされた映像データは、ポスト映像信号処理回路２２を介してＮＴＳＣエンコーダ２４に入力され、ＤＶストリームのデジタル映像がアナログ信号に変換されて、ビデオ信号出力端子２５から図示しないモニタに出力される。これにより、処理対象の映像を確認しながらアフレコ処理を行うことが可能である。
【００６１】
ステップＳＴ４において、オーディオＤＩＦブロック中のＡＡＵＸ（Audio Auxiliary）データエリアに記録されたチャネル数情報、およびサンプリング周波数情報が取得される。そして、これらの情報に基づいてＤＶストリームにおける音声データの記録フォーマットを判断し、それが「４８ｋモード」あるいは「４４．１ｋモード」であればステップＳＴ５に進んで、ＤＶデコーダ３２から第１のオーディオＳＲＣ３３に出力された音声データは、そのサンプリング周波数が３２ｋＨｚに変換され、さらにステップＳＴ６において、ＤＶストリームプロセッサ３１で１２ビット非直線量子化データに変換される。また、記録フォーマットが「３２ｋ−２ｃｈモード」であればステップＳＴ６に進んで、ＤＶデコーダ３２から出力された音声データは、そのままＤＶストリームプロセッサ３１に出力され、１２ビット非直線量子化データに変換される。なお、記録フォーマットが「３２ｋ−４ｃｈモード」である場合には、そのままでアフレコ処理が可能であることから、ステップＳＴ５，６を飛ばして、ステップＳＴ７に進む。
【００６２】
ステップＳＴ７では、第２のオーディオＳＲＣ３６に入力されたアフレコ音声のサンプリング周波数が３２ｋＨｚに変換され、ＤＶストリームプロセッサ３１に出力される。つぎに、ステップＳＴ８に進んで、ＤＶストリームプロセッサ３１でアフレコ音声の量子化方式が１２ビット非直線量子化データに変換される。
【００６３】
ステップＳＴ９では、ＤＶストリームプロセッサ３１に入力されたＤＶストリーム上の音声データ（オーディオＤＩＦブロック）が、１ＤＶフレームごとにそれぞれステップＳＴ６およびＳＴ８で生成されたデータによって書き換えられる。このとき、ＡＡＵＸデータも同様に適切な値に書き換えられる。
【００６４】
最後にステップＳＴ１０で、アフレコ処理されたＤＶストリームはバッファコントローラ１８を介してＨＤＤ装置１９または光ディスク装置２０などのストレージデバイスに記録される。
【００６５】
以上のように、本実施の形態の情報記録装置では、アフレコ処理が不可能な音声信号のデータフォーマットであっても、ＨＤＤ装置１９または光ディスク装置２０などの記録媒体に記録されたＤＶストリームに対してアフレコ処理を可能とした。その際に、従来のように記録媒体の映像信号に多重化された音声信号のデータフォーマットをいちいち確認することなしに、２つのオーディオＳＲＣ３３，３６により映像信号とは独立に音声信号のデータフォーマットだけを変換することによって、アフレコ処理を行うことができる。しかも、すでに記録された映像信号自体には、その劣化を引き起こすような伸張処理、再圧縮処理などを行わないで音声のアフレコ処理が可能となるから、再記録されるＤＶストリームの画質が劣化するおそれはない。
【００６６】
また、アフレコ音源として、情報記録装置内のストレージデバイスにあらかじめ記録されていた音声データを用いることもでき、特にそのストレージデバイスがＨＤＤや光ディスクなど、ランダムアクセスが可能なものである場合には、音声データの読み出しと、アフレコ処理後のデータの書き込みとを同時に進行させることで、その音声データを通常再生するための時間よりも短い時間で高速にアフレコ処理を行うことができる。
【００６７】
さらに、例えば外部のデジタルビデオカメラで音声２ｃｈモードで撮影したＤＶストリームがある場合にも、そのＤＶストリームを上記の情報記録装置のデジタル入力端子２９に入力して、アフレコ処理を行いながら光ディスクなどの別の記録媒体に記録することも可能である。このように、現在持っている映像資源を有効に活用して、より高品質な映像コンテンツを手軽に作成することができる。
【００６８】
なお、上記の実施の形態ではビデオレコーダについて説明したが、本発明はこれ以外に、例えば撮像機能を具備するデジタルビデオカメラに適用することもできる。このとき、特にあらかじめＤＶストリームなどの映像・音声データを記録しておくストレージデバイスとして、ランダムアクセスが可能なものを用いることが望ましい。
【００６９】
また、本発明をパーソナルコンピュータなどの情報処理機器に適用することも可能である。その場合、上記の情報記録装置が有すべき機能の処理内容を記述したプログラムが提供される。そして、そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。
【００７０】
プログラムを流通させる場合には、例えば、そのプログラムが記録された光ディスクなどの可搬型記録媒体が販売される。また、プログラムをサーバコンピュータの記憶装置に格納しておき、ネットワークを介して、サーバコンピュータから他のコンピュータにそのプログラムを転送することもできる。
【００７１】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【図面の簡単な説明】
【００７２】
【図１】実施の形態に係る情報記録装置の概略構成を示すブロック図である。
【図２】ＤＶストリームの１ＤＶフレームのデータ構造を示す図である。
【図３】アフレコ処理時におけるデータの入れ替えの様子を模式的に示す図である。
【図４】情報記録装置におけるアフレコ処理時の処理の流れを示すフローチャートである。
【符号の説明】
【００７３】
１０……ビデオ入力端子、１１……オーディオ入力端子、１２……ＮＴＳＣデコーダ、１３……プリ映像信号処理回路、１４……ＭＰＥＧエンコーダ、１５……マルチプレクサ、１６……デマルチプレクサ、１７……多重／分離回路、１８……バッファコントローラ、１９……ＨＤＤ装置、２０……光ディスク装置、２１……オーディオＡ／Ｄコンバータ、２２……ポスト映像信号処理回路、２３……ＭＰＥＧデコーダ、２４……ＮＴＳＣエンコーダ、２５……ビデオ信号出力端子、２６……第１のセレクタ、２７……オーディオＤ／Ａコンバータ、２８……オーディオ信号出力端子、２９……デジタル入力端子、３０……第２のセレクタ、３１……ＤＶストリームプロセッサ、３２……ＤＶデコーダ、３３……第１のオーディオＳＲＣ、３４……デジタルオーディオ入力端子、３５……第３のセレクタ、３６……第２のオーディオＳＲＣ
【図１】
2006042041.tif 000004
【図２】
2006042041.tif 000005
【図３】
2006042041.tif 000006
【図４】
2006042041.tif 000007